Podtech/llm-jp-corpus-v4-ja_patent huggingface dataset:
(57)【要約】【課題】本件は、エンボス加工後の微妙な風合いの経時変化がほとんど見られず、また、カールもほとんど見られない工程離型紙を提供することができるものである。【解決手段】紙層と、その上に設けられた熱可塑性樹脂からなるエンボス加工層とからなり、エンボス加工層の表面には、エンボス加工が施されている工程離型紙において、エンボス加工層の少なくとも表面が、シクロオレフィンポリマーから構成されてなることを特徴とする工程離型紙。【選択図】  図１
2007296672.tif 000002
【特許請求の範囲】
【請求項１】
紙層とその上に設けられた熱可塑性樹脂からなるエンボス加工層とからなり、エンボス加工層の表面にはエンボス加工が施されている工程離型紙において、エンボス加工層の少なくとも表面がシクロオレフィンポリマーからなることを特徴とする工程離型紙。
【発明の詳細な説明】
【技術分野】
【０００１】
本発明は、工程離型紙に関し更に詳しくは風合いの艶等の経時変化のない工程離型紙に関する。
【背景技術】
【０００２】
従来の工程離型紙として、紙層の上に熱可塑性樹脂からなるエンボス加工層が設けられており、エンボス加工層の表面には熱エンボスによりエンボス加工が施された工程離型紙が使用されている。また、型付けのある合成比較等の転写物を製造する場合は、その型の特に微小部分の再現性、或いは鋭い凹凸による支持体の割れを防御する目的で、主にポリプロピレン樹脂が、エンボス加工層の構成材料として用いられている（例えば、特許文献１、特許文献２等参照）。また、工程離型紙のエンボス加工層の熱可塑性樹脂の一般的な成形収縮率は１〜２％であるといわれているが、合成皮革用の工程離型紙のような微細な賦型性を必要とするものにおいては、１〜２％の変化でも風合いに大きな変化をもたらし、エンボス加工後に工程離型紙の風合い、艶等が微妙に経時変化することが問題になることがあった。
また、特許文献２には、離型シートに必要な特性としては、樹脂溶液を支持体に染み込ませないバリヤー性、乾燥後は容易に樹脂被膜を剥がせる剥離性、乾燥時における耐熱性、剥離シートは繰り返し使用されることが多いので、適当な引張り強度、引き裂き強度、カールバランス、型付け時に必要な柔軟性、耐スクラッチ等があると記載されている。
【特許文献１】特開平５−１１７９９８号公報
【特許文献２】特開平６−２２６９２９号公報
【発明の開示】
【発明が解決しようとする課題】
【０００３】
本発明の課題は、エンボス加工後の微妙な風合いの経時変化が殆ど見られず、カールも殆ど見られない工程離型紙を提供することである。
【課題を解決するための手段】
【０００４】
本発明は上記の課題を解決するもので、紙層とその上に設けられた熱可塑性樹脂からなるエンボス加工層とからなり、エンボス加工層の表面にはエンボス加工が施されている工程離型紙において、エンボス加工層の少なくとも表面がシクロオレフィンポリマーからなることを特徴とする工程離型紙によって解決される。
【０００５】
シクロオレフィンポリマーは非結晶性の樹脂であるため、結晶化による経時変化は殆ど起こらない。そのためシクロオレフィンポリマーの成形収縮率は一般に、０．１〜０．８％程度とポリカーボネート樹脂と同程度であり、ポリプロピレンの１／１０程度で、エンボス後の微細な風合いの経時変化は殆ど見られず、カール等も殆ど見られない。
【発明の効果】
【０００６】
本発明の工程離型紙は、紙層とその上に設けられた熱可塑性樹脂からなるエンボス加工層とからなり、エンボス加工層の表面にはエンボス加工が施されている工程離型紙において、エンボス加工層がシクロオレフィンポリマーからなるものであるので、微妙な風合いの経時変化が殆ど見られず、カールも殆ど見られない工程離型紙を提供することができる。
【発明を実施するための最良の形態】
【０００７】
図１は、本発明の工程離型紙を示す略断面図である。
【０００８】
本発明の工程離型紙は、紙１とその上に設けられたシクロオレフィンポリマーを含むエンボス加工層２とからなる。
【０００９】
本発明において、シクロオレフィンポリマーとして、ノルボルネン、ジシクロペンタジエン、テトラシクロドデセンなどのシクロオレフィンをメタセシス触媒の存在下に重合してなるシクロオレフィンポリマー、例えば日本ゼオン社製ゼオノアを適用することができる。
【００１０】
シクロオレフィンポリマーを押出加工により紙１の上に押出ラミネーションすることにより少なくとも表面がシクロオレフィンポリマーからなるエンボス加工層２を形成することができる。
【００１１】
またシクロオレフィンポリマーをポリプロピレンと共押出して紙１上にシクロオレフィンポリマー／ポリプロピレンの二層からなるエンボス加工層２を形成することもできる。      
【００１２】
また、シクロオレフィンポリマー層の紙層１との密着性を高めるために紙層上にアンカーコート層を設けることができる。
【実施例】
【００１３】
工程離型紙用基材を作製する際、シクロオレフィンポリマー（日本ゼオン社製、ＺＥＯＮＯＭＥＲ、Ｔｇ７０℃）を紙（坪量：１２５ｇ／ｍ2）の上に押出ラミネーションしてエンボス加工層を形成してエンボス前の工程離型紙用基材を作製した。
次に、エンボス温度１３０℃でエンボス加工を行い、工程離型紙を作製した。
前エンボス加工の直後の工程離型紙と、エンボス加工後１週間経った工程離型紙の表面にそれぞれポリウレタンを塗工し、乾燥後、工程離型紙からポリウレタンを剥がし、風合いの差を比較したところ、エンボス加工直後の工程離型紙を用いたポリウレタン成形品とエンボス加工から１週間経過後の工程離型紙を用いたポリウレタン成形品には差は見られず、またカールも見られなかった。
【００１４】
［比較例］
工程離型紙用基材を作製する際、ポリプロピレン（融点１６４℃）を紙（坪量：１２５ｇ／ｍ2）の上に押出ラミネーションしてエンボス加工層を形成してエンボス前の工程離型紙用基材を作製した。
次に、エンボス温度１２０℃でエンボス加工を行い、工程離型紙を作製した。
前エンボス加工の直後の工程離型紙と、エンボス加工後１週間経った工程離型紙の表面にそれぞれポリウレタンを塗工し、乾燥後、工程離型紙からポリウレタンを剥がし、風合いの差を比較したところ、エンボス加工直後の工程離型紙を用いたポリウレタン成形品とエンボス加工から１週間経過後の工程離型紙を用いたポリウレタン成形品とでは表面の風合いに若干の差が見られ、またカールも見られた。
【産業上の利用可能性】
【００１５】
本発明の工程離型紙はウレタンペースト用の工程離型紙として利用することができる。
【図面の簡単な説明】
【００１６】
【図１】本発明の工程離型紙の略断面図である。
【符号の説明】
【００１７】
１      紙
２      エンボス加工層
【図１】
2007296672.tif 000003
(57)【要約】【課題】冊子状カレンダーの壁掛け時の収まりを良くする。【解決手段】方形平板１の表面側における左右端及び下端に桟体２を突設し、該桟体２の内側壁面３の基端に沿って凹溝４を設けて、額体を形成し、この額体上方から左右桟体凹溝４にカレンダーＣの左右を挿通し、下端桟体凹溝４にカレンダーＣの下端を嵌入し、この様に左右と下端を抑えた状態にてカレンダーＣを収納した額体を壁に掛ける【選択図】図１
2007296762.tif 000002
【特許請求の範囲】
【請求項１】
方形平板の表面側における左右端及び下端に桟体を突設し、該桟体の内側壁面基端に沿って凹溝を設けたことを特徴とする額体。
【請求項２】
上記凹溝に冊子状のカレンダーを収容して壁掛けるための専用のものとしたことを特徴とする請求項１記載の額体。
【発明の詳細な説明】
【技術分野】
【０００１】
本発明は、カレンダーや絵画等の平物装飾体を収容して壁架けるのに用いる額体に関する。
【背景技術】
【０００２】
従来、カレンダーを壁に飾る際は、カレンダー自体を直接壁に貼付けたるか、或いは、適宜形の掛止部材、例えば鉤状フックを壁に取付け、該掛止部材にカレンダー上部に設けたリング等の吊下具を掛止させて行うのが一般的である。
【０００３】
開発段階や出願段階で先行技術調査を行っておらず、記載すべき先行技術文献を知りません。
【発明の開示】
【発明が解決しようとする課題】
【０００４】
ところが、月捲り形式のカレンダーの様に、複数頁の上端を綴じて成る冊子状のカレンダーの場合、壁架けたカレンダー近くを人が通ると、発生気流で煽られ各頁がはためき、邪魔になって、煩わしく感じられたり、室内換気のため窓を開けると、強く煽られ、カレンダー自体が傾いたり、落下する等不具合が生じた。
【課題を解決するための手段】
【０００５】
本発明は、上記課題に鑑み、方形平板の表面側における左右端及び下端に桟体を突設し、該桟体の内側壁面基端に沿って凹溝を設けて、額体を形成し、この額体上方から左右桟体凹溝にカレンダー左右を挿通し、下端桟体凹溝にカレンダー下端を嵌入し、この様に左右と下端を抑えた状態にてカレンダーを収納した額体を壁に掛ける様にして、上記課題を解決する。
【発明の効果】
【０００６】
要するに、本発明は方形平板の表面側における左右端及び下端に桟体を突設し、該桟体の内側壁面基端に沿って凹溝を設けたので、桟体のない上方から凹溝に、冊子状のカレンダーを挿通して収容し、カレンダーの中央部を隠蔽することなく、左右端と下端を抑え、カレンダーが風に煽られ、はためくのを防止することが出来る。
又、例えば額体裏面に粘着テープを設けて、該粘着テープにより壁面に貼付ければ、壁面を傷付けることなく、カレンダーを壁掛けることが出来ると共に、上端には桟体がなく上方が開口していることから、簡単に凹溝に出し入れでき、カレンダーの月捲りや交換が容易である。
更には、カレンダーではなく、例えば絵画や写真パネル等のその他の平物装飾体を収容して、例えば、店舗に用いた場合、絵画等を交換し頻繁に模様替えをすることによって、顧客吸引力の向上を図ることが出来る。
【発明を実施するための最良の形態】
【０００７】
以下、本発明の一実施例について図面に基づき説明する。
図１は本発明に係る額体の概略正面図、図２は図１のＡ−Ａ断面図、図３は図１のＢ−Ｂ断面図である。
各図に示す様に、本発明に係る額体は、方形の平板１の表面側に正面視凹の字形の桟体２を突設し、該桟体２の内側壁面３の基端に沿って凹溝４を設けている。
【０００８】
使用時には、図１に示す様に、冊子状のカレンダーＣの左右端を凹の字形桟体２の左右縦桟部の凹溝４に挿通すると共に、カレンダーＣの下端を下端横桟部の凹溝４に嵌合して、額体にカレンダーＣを収容し、かかる額体を壁に掛ける。
壁掛け手段としては、例えば鉤状フックを壁に取付け、一方、額体にはリングや紐など吊下具を取付け、かかる吊下具を鉤状フックに掛止させたり、或いは、額体裏面に両面粘着テープを貼付け、粘着テープにより壁に貼付ければ良い。
尚、この様に壁に額体を固着する場合は、固着した後、その額体にカレンダーを収容すれば良く、またカレンダーを月捲りする際は、額体を壁に固着したまま、カレンダーだけ額体から出し入れすれば良く、またカレンダーの過日分を切り離すか、それとも捲るだけで、カレンダー背面に回して残すかは使用者の自由である。
【０００９】
以上、本実施例では、凹の字形の桟体２を突設したものを示したが、桟体２は必ずしも一体でなくても良く、例えば、平板１の左右端、並びに下端の夫々に個別に四角棒状の桟体２を設けても良く、要するに、左右端及び下端に桟体２を突設して、その内側壁面３の基端に沿って凹溝４が設けられていれば良い。
【図面の簡単な説明】
【００１０】
【図１】本発明に係る額体の概略正面図である。
【図２】図１のＡ−Ａ断面図である。
【図３】図１のＢ−Ｂ断面図である。
【符号の説明】
【００１１】
１  平板
２  桟体
３  内側壁面
４  凹溝
【図１】
2007296762.tif 000003
【図２】
2007296762.tif 000004
【図３】
2007296762.tif 000005
(57)【要約】【課題】中駒２の全長が短く構成でき、残芯の長さが短くなって経済的になるとともに、芯３の先端からチャック５までの距離が短くなるので芯３が折れにくくなるシャープペンシルを実現した。また、中駒２が長期に渡って安定して口金４の内面と適度の力で摩擦接触を行うことができる。【解決手段】中駒２に周方向に伸びた弾性片２Ａを形成し、この弾性片２Ａの先端部に突部２Ｂを形成する。この突部２Ｂを口金４の内面に適度の力で摩擦接触させる。【選択図】        図１
2007296763.tif 000002
【特許請求の範囲】
【請求項１】
芯ガイドパイプの後部に中駒を固着し、この中駒を口金内に摺動可能に内蔵したシャープペンシルにおいて、中駒に周方向に伸びた弾性片を形成し、この弾性片の先端部に突部を形成し、この突部が口金の内面と適度の力で摩擦接触することを特徴とするシャープペンシル。
【請求項２】
中駒の後端を漏斗状に形成したことを特徴とする請求項１記載のシャープペンシル。
【請求項３】
中駒に後方に伸びた芯保持部を形成し、この芯保持部が中駒の後端より前方に位置するとともに芯を適度の力で保持するように構成することを特徴とする請求項２記載のシャープペンシル。
【発明の詳細な説明】
【技術分野】
【０００１】
本発明は、芯ガイドパイプに固着された中駒を口金内に適宜の力で摩擦接触させて構成したシャープペンシルに関する。
【背景技術】
【０００２】
従来、スライダ本体（本願発明における中駒）の後端外周に前方に向かって同心状に接続されかつ先具（本願発明における口金）の内壁面に対し所定の摩擦抵抗で摺接する摺接部を備えたシャープペンシルのスライダが知られている。（特許文献１参照）
【特許文献１】特開平８−１１８８８３号公報（請求項１、段落００１６）
【発明の開示】
【発明が解決しようとする課題】
【０００３】
上記したシャープペンシルは、前方に向かって接続された摺接部が先具の内壁面に対して所定の摩擦抵抗で摺接しなければならず、しかも摩擦抵抗を安定に保つためには摺接部が長くなり、必然的にスライダ本体の全長が長くなってしまうという課題が生じるものであった。このスライダ本体の全長が長くなると排出される残芯が長くなって不経済になるとともに、芯の先端から芯を保持するチャックまでの距離が長くなってしまい、芯が折れ易くなってしまうものであった。
本発明は、上記課題を解消するシャープペンシルを提供することを目的とするものである。
【課題を解決するための手段】
【０００４】
本発明は、芯ガイドパイプの後部に中駒を固着し、この中駒を口金内に摺動可能に内蔵したシャープペンシルにおいて、中駒に周方向に伸びた弾性片を形成し、この弾性片の先端部に突部を形成し、この突部が口金の内面と適度の力で摩擦接触することを第１の要旨とする。
【０００５】
また、中駒の後端を漏斗状に形成したことを第２の要旨とする。
【０００６】
更に、中駒に後方に伸びた芯保持部を形成し、この芯保持部が中駒の後端より前方に位置するとともに芯を適度の力で保持するように構成することを第３の要旨とする。
【発明の効果】
【０００７】
本発明は、中駒に周方向に伸びた弾性片を形成し、この弾性片に形成した突部が口金の内面と適度の力で摩擦接触することにより、中駒の全長が短く構成できるとともに長期に渡って安定して口金の内面と適度の力で摩擦接触できる効果が奏せられるものである。
【発明を実施するための最良の形態】
【０００８】
中駒の全長が短く構成でき、残芯の長さが短くなって経済的になるとともに、芯の先端からチャックまでの距離が短くなるので芯が折れにくくなるシャープペンシルを実現した。
【実施例１】
【０００９】
図１、図２、図３、図４及び図５により本発明の実施例１のシャープペンシルを説明する。尚、図１の左側を前方とし、右側を後方とする。先ず、ステンレスパイプからなる芯ガイドパイプ１を中駒２の前部に圧入固着する。この中駒２は、図３、図４及び図５に示したように周方向に伸びた弾性片２Ａを両側に形成する。更に、弾性片２Ａの先端部に突部２Ｂを形成する。
【００１０】
この中駒２の内側には後方に伸びた芯保持部２Ｃを相対させて形成し、この芯保持部２Ｃにより芯３を適度の力で保持する。また、中駒２の基部より後方に伸びた連結部２Ｄを上下に２つ形成し、この連結部２Ｄに漏斗状に形成された後端２Ｅが接続され構成される。
【００１１】
この中駒２を口金４内に挿入し、芯ガイドパイプ１を口金４の先端より突出させるとともに、中駒２の弾性片２Ａに形成された突部２Ｂが口金４の内面に適度の力で摩擦接触する。この中駒２の突部２Ｂと口金４の内面の摩擦力は、中駒２の芯保持部２Ｃが芯３を保持する保持力よりも強く設定する。
【００１２】
尚、中駒２の弾性片２Ａは周方向に伸びて形成されるので、中駒２の全長を長くすることなく長期に渡って安定した摩擦力が持続できる。
【００１３】
次に、チャック５、締具６、固定具７、スプリング８、コネクター９及び芯タンク１０からなる機構部を軸筒１１の前方より挿入する。この軸筒１１の雄ネジ部に前記口金４の雌ネジ部を螺合し、リブ４Ａの段部と軸筒１１の前端により固定具７を挟持してノック式のシャープペンシルを構成する。
【産業上の利用可能性】
【００１４】
中駒に周方向に伸びた弾性片を形成し、この弾性片に形成した突部が口金の内面と適度の力で摩擦接触することにより、中駒の全長が短くなり、残芯の長さが短くなって経済的になるとともに、芯の先端からチャックまでの距離が短くなり芯が折れにくくなるシャープペンシルに適用できる。
【図面の簡単な説明】
【００１５】
【図１】本発明の実施例１のシャープペンシルを示す主要部断面図である。（実施例１）
【図２】図１のＡ−Ａ線を示す拡大断面図である。（実施例１）
【図３】本発明の芯ガイドパイプと中駒を示す拡大正面図である。（実施例１）
【図４】図３のＡ−Ａ線を示す拡大断面図である。（実施例１）
【図５】図３のＢ−Ｂ線を示す拡大断面図である。（実施例１）
【符号の説明】
【００１６】
１  芯ガイドパイプ
２  中駒
２Ａ  中駒２の弾性片
２Ｂ  中駒２の突部
２Ｃ  中駒２の芯保持部
２Ｅ  中駒２の後端
３  芯
４  口金
【図１】
2007296763.tif 000003
【図２】
2007296763.tif 000004
【図３】
2007296763.tif 000005
【図４】
2007296763.tif 000006
【図５】
2007296763.tif 000007
(57)【要約】【課題】狭い場所で縄跳びができて、五十肩の予防や足腰の運動や、うで、腹筋の筋力をアップさせ、又、同じにシェイプアップする健康具を提供する。【解決手段】パイプに握り手を設け、以上が回転し、そしてそして体を一周させる。以上を特徴とする健康運道具。【選択図】図１
2007296301.tif 000002
【特許請求の範囲】
【請求項１】
左右に取っ手取付部を形成する弧状のパイプと、前記取っ手取付部にそれぞれ回転機構を介して設けられた持ち手よりなり、前記回転機構は切り替えスイッチの操作により回転方向を切り替えられるものであることを特徴とする健康具。
【請求項２】
回転機構に回転数のカウント機構を具備し、概回転数をカウント機構により計測された回転数を表示するカウント表示部を設けたことを特徴とする請求項１記載の健康具。
【発明の詳細な説明】
【技術分野】
【０００１】本発明は、人がパイプを握り、縄跳びをする健康具に関するものである。
【背景技術】
【０００２】従来、縄跳びをする組状物に持ち手を設けた、とびなわがあった。
【発明の開示】
【発明が解決しようとする課題】
【０００３】その為に次のような問題点があった。
縄跳びは、広い場所使用する時は良いが、狭い場所では、運動しづらく、すぐに床や壁や物にぶつかって効率的に運動できなかった。腕から肩にかけての運動にならなかった。
本発明は、以上の問題点を解決しようとするものである。
【問題を解決する為の手段】
【０００４】左右に取っ手取付部を形成する弧状のパイプと、前記取っ手取付部にそれぞれ回転機構を介して設けられた持ち手よりなり、前記回転機構は切り替えスイッチの操作により回転方向を切り替えられるものであることを特徴とする健康具。
【０００５】本発明は、運動不足の人の室内での運動を容易にし、五十肩の防止、足腰の運動、体力増強を促す。したがって、狭い所で効率的に運動できる。また、カウンターを設けることによって、運動量の目安や計測によって運動量を設定して運動する事ができる。
【発明を実施する為の最良の形態】
【０００６】以下、本発明の実施の形態を説明する。
（イ）人の肩幅の２倍位からなる弧状のパイプ（１）の円形の取付部に回転部（９）をグリップ（２）を介して設ける。
（ロ）グリップ（２）とグリップに差し込みパイプと連結したギヤ（５）の納まった回転部ホルダ回転部（９）をネジ（１０）で取り付ける。
（ハ）回転部（９）の中央にグリップ（２）とグリップに差し込みパイプと連結したギヤ（５）と切り替えレバー（６）とスプリング（７）トルクシャフト（８）をグリップ（２）の外側に設ける。
（ニ）弧状のパイプ（１）に円曲状の所にスポンジ（３）を取り付ける。
（ホ）回転部（９）片側にデジタル部（４）を回転部ホルダの外側に設ける。
リセットボタンを設ける。
弧状のパイプ（１）とグリップ（２）と回転部（９）回転機構のギヤ（５）が回転し作動する。又は、万歩計の技術を利用して作動する。リセットする事で回転回数を計測したりする。
本発明は、以上の構成によりなっている。
本発明を使用する時は、人がグリップ（２）を両手で握り体前面から弧状のパイプ（１）を下面に足をまたぐようにする。そのとき弧状のパイプ（１）が体後部になったときに、両腕、手首がそれぞれ回転し、回転部（９）が回転し、グリップ（２）を握ったままで弧状のパイプ（１）を体後部に移動させる。又、頭上に移動させ、それから体前面に移動させて、弧状のパイプ（１）を縄跳びする様に足でまたぐ。
又、（図４）で回転方向を切り替えレバー（６）を上下にして決めてある為、前とびと後ろとびにした時、両手の手首が回転する方向に設定して、そのつどギヤ（５）が切り替えレバー（６）にロックして一方向に回転するようになっている。又、一方向に回転する事で、簡単に運動出来るようになり、ギヤ（５）が作動している時にカチャカチャ音がし、運動している音でグリップ（２）が回転している事が確認でき、運動意欲につながる。
【図面の簡単な説明】
【０００７】
【図１】本発明の横図
【図２】本発明の分解横図
【図３】本発明の部分横図
【図４】本発明の断面図
【図５】本発明の仕様状態を示す横図
【符号の説明】
【０００８】１  弧状のパイプ
２  グリップ
３  スポンジ
４  デジタル部
５  ギヤ
６  切り替えレバー
７  スプリング
８  トルクシャフト
９  回転部
１０  ネジ
１１  リセットボタン
【図１】
2007296301.tif 000003
【図２】
2007296301.tif 000004
【図３】
2007296301.tif 000005
【図４】
2007296301.tif 000006
【図５】
2007296301.tif 000007
(57)【要約】【課題】    従来の半透過膜は多孔質固体の表面へ形成されるか、又は、中空糸状に形成されるかであった。多孔物質中を流体が通過する際の圧力損失は透過性能に大障害であり、中空糸は透過方向が、外から内へ制限され、内から外へはほぼ不可能に近く、脆弱である。【解決手段】平坦な半透性膜を多孔質固体の支え無しに補強する為に、流体の透過性能に影響しないモノフィラメント網を積層する。【特許請求の範囲】
【請求項１】
親水性基と疎水性基を合わせ持つ樹脂と、同じく両性溶剤、極性溶剤とによるコロイド液であるドープを、水中へビスコースしてフィルム又はシートとする際、フィルム又はシートへ補強枕を施した半透性膜。
【発明の詳細な説明】
【技術分野】
【０００１】  本発明は  医療をはじめ多方面に応用されている半透膜について、半透性故に機械強度が低く、それ故形状に限界があった。半透性能を損ねず、平坦大面積を得るものである。
【発明の開示】
【発明が解決しようとする課題】
【０００２】  従来  医療施設などの衛生状況が良い半透性膜の応用例では、中空糸による人工透析、公営水道水の蛇口浄水器があるが、中空糸なる形状による制限条件で応用範囲が限られていた。もしも、半透性能を損ねず、平坦なシート状、フィルム状の物で機械強度がある物が得られたならば、応用範囲は飛躍的に広がる物と思われる。
【課題を解決するための手段】
【０００３】  半透膜は、その透過性の為に、表裏貫通して、サブミクロンの穿孔が多数存在し、その機械物性は、スポンジとは比較に成らない程、脆弱であり、半透性能を損ねず補強するには、材質の変更よりも、他フィラメントによる機械的補強こそが望ましい。
【発明の効果】
【０００４】  限外濾過膜での濾過残物の除去、膜の保守点検、濾過残物及び炉液の変質防止洗浄など、中空糸なら免れない諸問題が、自ず解決される。【０００５】  中空糸では不可能に近い、逆洗も平坦面ならば可能性も大きくなる。【０００６】  中空糸では余技的であった、マイクロバブルの生成でも、平坦面だからこそ可能な展開がある。
【発明を実施するための最良の形態】
【０００７】  半透性膜を、二枚の網で挟むのは、簡便であるが、限外濾過膜などの場合、実用上、網が傷害となる。だから、半透性膜の中心層にフィラメントメッシュが有ることが望ましい。
【実施例１】
【０００８】  フィルム生産用ティダイから  ドープ層・フィラメントメッシュ・ドープ層の構成で、水中へビスコースする。
【実施例２】
【０００９】  水処理回路のストレーナの両面へドープを塗布し、ビスコース同様に造膜する。
完成した構造は半透性まくの中間層にモノフィラメントによる骨格がある。
【図面の簡単な説明】
【００１０】
【図１】  平坦なフィルム又はシート状に形成された半透性膜の断面図
【図２】  骨格となるフィラメントメッシュの両面へ塗布後、半透性膜を形成した部材の断面図
【符号の説明】
【００１１】１．  骨格となるフィラメントメッシュ
２．  半透性層
３．  半透性層中に形成された連通性空隙
【図１】
2007296505.tif 000002
【図２】
2007296505.tif 000003
(57)【要約】      （修正有）【課題】アスベストにより汚染された周辺機材を含めた「アスベスト公害処理対策」の総合廃棄処分費用を軽減し、アスベストに汚染された保護衣、養生シートの廃棄のための固化方法を提供する。【解決手段】建築物よりアスベストを除去した後、セメント固化し、地盤の改良等の中にに投棄処分するが、その際の梱包用袋としてアスベスト除去工事で汚染された保護衣服、養生フィルムなどの周辺機材を転用する。保護衣服は裏返しにし、また養生フィルムは内側を袋状に折り畳む事により転用可能。【選択図】図１
2007296506.tif 000002
【特許請求の範囲】
【請求項１】
アスベスト除去工事で、アスベストに汚染された保護衣を裏返しにて、除去アスベスト固化のための梱包用袋として使用するアスベスト固化方法
【請求項２】
アスベスト除去工事でアスベストに汚染された養生フィルムの内側を袋状に折り畳み除去アスベスト固化のための梱包用袋として使用するアスベスト固化方法
【請求項３】
除去したアスベストをセメント固化し、地盤の改良等の中に投棄する。
【発明の詳細な説明】
【技術分野】
【０００１】本発明はアスベスト除去の際の、アスベストに汚染された保護衣、養生シートの廃棄のための固化方法
【発明が解決しようとする課題】
【０００２】アスベスト除去工事の際に、アスベスト繊維の飛散により保護衣、養生シートが汚染され、此の廃棄により周囲の環境を汚染することのない様に二重の袋につめて厳重に封緘して特定廃棄物処理場に投棄されるのが、一般的であるが、大量の空気を包含しているため容積が嵩み投棄のための運搬費や廃棄処理費が膨らみアスベスト除去費用の軽減化に大きな障害となっている
［問題解決のための手段］
【０００３】アスベストに汚染された保護衣を裏返しにし、頭部や手、足をカバーする部分を切断して胴回り部分を残し、切断した切れ目はホチキス等で簡単に縫合し、縫合した部分を接着テープで封緘して袋状にする。此の袋の中に除去して、セメント（固化促進剤）を混合したアスベストを充填して固化する。此の際に切断し切り離した保護衣の頭部や手足をカバーする部分は平に伸ばして空気を抜きアスベストと一緒に袋に詰め込み固化する。この様にして廃棄のための袋詰めされていた蒿高なアスベストに汚染されていた保護衣は一変してアスベスト固化用の廃棄袋として活かされ、しかも固化した為１３号産業廃棄物として投棄出来る様になり、運送費と廃棄物処理費は大幅に削減される。
【課題を解決するための手段】
【０００４】アスベストに汚染された養生シートは、アスベストに汚染された面を内側にして数枚重ね合せ、袋を形成するに足りる巾に切断する。所定の巾に切断した養生シートは二つ折りにして両端部をホチキス等で縫合して袋状にする。此の袋の中に、セメントと硬化促進剤を混合して固化すべく準備した除去アスベストを充填する。尚、縫合した部分は付着しているアスベストが飛散しない様に接着テープで厳重に封緘する。この様にして廃棄のために袋詰めされていた汚染した養生シートは、廃棄のための固化用袋に活かされ、輸送廃棄物処理場にしか投棄出来なかったための莫大な費用は大幅に節減される。
【発明の効果】
【０００５】アスベスト及びそれに汚染された物品を地下に埋設する基礎抗の中空部分に投棄する。投棄されたアスベスト繊維は地下水に溶出することがないので安全である。又中空部分から空中に飛散する可能性は全くなく此の面でも安全である。
但し、中空部に投棄する際飛散防止剤や水を噴霧して空中にアスベスト繊維が飛散しない様に慎重に作業を進める必要がある。
【０００６】危険なアスベストの処理方法として、廃棄処理場を特定化して環境維持に努めているが、既に投棄すべき場所は残り少なくなって出来ている。此の危険なアスベスト及びその汚染された物品をセメント固化することによって飛散を防止してしまう工法は今後全て重要性を増して来る。又、地下水に溶出する危険もないため、狭隘になって来ている廃棄物処理スペースに新たな追加開発されるものであり、此の貢献は大きい。本発明はその一環として社会的な要請に応えるばかしでなく経済的を費用削減効果も顕著である。
【０００７】建設発生土を主材料として、水・固化材を加えることで、流動性・自硬性を有する土質材料を作成し、地下埋設管などの埋め戻し・転圧が難しい場所への施工をその流動性を利用して行う流動化処理工法や従来のラップルコンクリート地盤改良の土壌内にセメント固化したアスベストを投棄する。
【発明を実施するための最良の形態】
【０００８】危険なアスベストはもとよりアスベストに汚染された物品の安全な投棄方法であるセメント固化工法は、地方自治体による１３号廃棄物処理場の建設拡大によりその効果を益と発揮出来る場が与えられる。又、アスベスト飛散防止作業場は、その近隣に建設現場があって基礎抗の打設がなされている場合貴重な廃棄処理場が与えられることになる。
【図面の簡単な説明】
【０００９】
【図１】保護衣の切断箇所〕
【図２】ホッチキスによる切断縫合
【図３】ホッチキスによる養生シート縫合
【図４】接着テープによる封緘
【図５】基礎抗の断面
【図１】
2007296506.tif 000003
【図２】
2007296506.tif 000004
【図３】
2007296506.tif 000005
【図４】
2007296506.tif 000006
【図５】
2007296506.tif 000007
(57)【要約】      （修正有）【課題】岩塩独特のヒーリング効果及びマイナスイオン効果や遠赤外線効果などの相乗効果を最も引き出せる岩塩浴装置の提供。    【解決手段】岩塩温浴治療装置１は、ブロック状岩塩またはロック状岩塩３の上を敷物９で覆い、人体２の治療に合った温度と照度を調節する調節器８を備え、岩塩が発するヒーリング効果やマイナスイオン及び遠赤外線などの諸効果を与える。【選択図】図１
2007296165.tif 000002
【特許請求の範囲】
【請求項１】
岩塩を透過する光を利用するヒーリング効果と、岩塩の加熱から受ける遠赤外線効果並びにマイナスイオンの相乗効果を得ることを目的とした家庭用並びに治療用の岩塩浴装置。
【請求項２】
岩塩と光源及び熱源の接触防止用ガラス板または樹脂板で仕切る構造を設けた請求項1記載の岩塩浴装置。
【請求項３】
岩塩浴装置本体を光源及び熱源の高温高熱から保護する断熱材を設けた請求項１記載の岩塩浴装置。
【請求項４】
岩塩浴効果を最大限引き出す為の光量並びに熱量の調節を行う調節器を設けた請求項１記載の岩塩浴装置
【発明の詳細な説明】
【技術分野】
【０００１】
本発明は、岩塩の透過光によるヒーリング効果と岩塩自体の温浴効果並びにマイナスイオン効果の相乗効果を利用した、身体並びに精神の医療目的の装置に関する。
【背景技術】
【０００２】
浴用機構の特許及び実案は公開中も含め岩盤浴の特許が１7件、実案が22件ある。（特許文献１〜特許文献６参照）
以下3件の特許及び実案の中に、トルマリンやラジウム、ラドンのマイナスイオン効果を謳っている。（例えば、特許文献1〜３参照）
また以下の特許と実案の中にカーボンと陶磁器や天然石を使用してマイナスイオン効果を謳っている。（例えば、特許文献4〜6参照）
【０００３】
以下の特許及び実案全てのマイナスイオン効果は、放射線物質の場合、測定器は放射線に強く反応するためマイナスイオン計測は難しく、たとえ計測できても謳えるほどのデーターとして表示できない。
【特許文献１】特開２００５−２４５６３１号
【特許文献２】特開２００５−１３５０５９号
【特許文献３】実案登録３１１６７８３号
【特許文献４】実案登録３１１８６４２号
【特許文献５】実案登録３１１７９４６号
【発明の開示】
【発明が解決しようとする課題】
【０００４】
以上に述べた特許文献や、今流行の岩盤浴に記載されている効能、即ちマイナスイオン効果、ミネラル豊富などの表記に関しては、一般的なサウナ装置や遠赤外サウナ装置と同程度の効果しか望めず、我々が目指している効果の出る治療装置とは程遠い効果しか期待できない。
【課題を解決するための手段】
【０００５】
従って、本発明は岩塩独特のヒーリング効果及びマイナスイオン効果や遠赤外線効果などの相乗効果を最も引き出せるよう、岩塩の透過光の光量及び温度を調節することにより、広域な治療を行うことを目的とした機構である。
【０００６】
具体的解決手段として、最大限の効果を得るには、ブロックタイプやロックタイプの岩塩をベッド状や床面や部屋全体に敷き詰め、本体の機構と同様の効果を最大限引き出せる治療設備を設置することも出来る。
【発明の効果】
【０００７】
ピンクソルト岩塩の光の波長が人体に与える癒し効果（ヒーリング効果）は一般的に認められているが、それを利用した治療器はまだない。また岩塩の温熱・加湿により得られる遠赤外線やマイナスイオンもテスターで計測できるが治療器はない。今回の目的は、多岐に亘る相乗効果を引き出す為の課題として、岩塩の光源に対する距離と光度調節器並びに岩塩浴の機構用の熱源に対する温度調節器を動作する事で未解決の老人医療問題に、この治療器は大きな貢献が出来る。
【発明を実施するための最良の形態】
【０００８】
次に、今流行の岩盤浴との根本的な違いは、岩塩は水分で溶融する事で多くのマ
イナスイオンを噴出する。加湿すると事で岩塩から著しく噴出されるマイナスイオンを、特に全室密閉状態での加湿と加温により、より効果的な治療ができる。      
【０００９】
この機構は、現在、流行っている岩盤浴の岩盤の材料を、ただ岩塩に変えたのではなく、岩塩しか出来ない特徴及び効果は、最も遅れた心の病にの医療器として類を見ない効果を提供することが本機の特徴である。
【００１０】
以下、本発明の実施の形態を図１・図２に基づいて説明する。
図１は、本発明の岩塩浴装置の本体部分１の平面図と下部はその立面図である。
人体２をブロック状岩塩又はロック状岩塩３の上を敷物９で覆い、その治療に合った温度と照度を調節する調節器８を備えた岩塩浴の装置である。
【００１１】
図２は図２の分解図で、光源及び熱源の設置状態の平面図と、下図は岩塩浴装置の本体の分解図である。
本体の岩塩ブロック又は岩塩ロック３が熱源及び光源５と接触しないよう、ガラスまたはアクリル板４を敷き、その熱源から守る本体を守る断熱材６を設置した治療器である。人体などから排泄処理を行う排泄装置７も備えている。
【産業上の利用可能性】
【００１２】
テーブル装置では治療効果を受ける人員に限界があるので、床一面及び壁、天井全体がこの装置を設置すれば、多くの受診者と、各種の治療効果も利用することが可能になりの最大限の効果を受けることが出来る。
【図面の簡単な説明】
【００１３】
【図１】岩塩浴装置本体の平面図（縦方向に縮尺）側と下図はその立面図である。（実施例１）
【図２】図１の岩塩ブロックをはずし、光源及び熱源を上部から見た平面図で、下            図はその本体の分解図である。
【符号の説明】
【００１４】
１／岩塩浴装置の本体
２／人    体
３／ブロック状岩塩及びロック状岩塩
４／ガラス板又は透明プレスチック板
５／光源及び熱源
６／断熱材
７／排水装置
８／光量と熱量の調節器
９／敷    物
【図１】
2007296165.tif 000003
【図２】
2007296165.tif 000004
(57)【要約】【課題】この発明は、親が１歳前後の幼児に麺類を食べさせる際、片手の簡単操作によって、幼児の口の大きさに適した分量を取って食べさせられる食具を提供する。【解決手段】幼児の口の大きさに適した分量の麺類を巻き付け可能な独自形状の手動回転式の先端部、および、巻き取った麺類を抑えるためのガイドを設けた麺類用食具である。【選択図】図１
2007181637.tif 000002
【特許請求の範囲】
【請求項１】
幼児の口の大きさに適した分量の麺類を巻き付け可能な独自形状の手動回転式の先端部、および、巻き取った麺類を抑えるためのガイドを設けた幼児向け麺類用食具。
【発明の詳細な説明】
【技術分野】
【０００１】この発明は、親が１歳前後の幼児に麺類を食べさせる際、片手の簡単操作によって、幼児の口の大きさに適した分量を取って食べさせられる食具に関するものである。
【背景技術】
【０００２】従来、親が１歳前後の幼児に対して麺類を食べさせる際には、子供向けのフォークまたは箸といった食具を使っていた。
【発明の開示】
【発明が解決しようとする課題】
【０００３】そのために次のような問題点が生じていた。
（イ）フォークで麺類を巻き取った際、フォークの先に巻き付けられた麺類のかたまりのサイズが幼児の口に対して大きすぎ、食べさせづらかった。
（ロ）フォークで麺類を巻き取った際、腰が固めなど麺類の状態によっては麺の終端部分がはねてしまい、うまく巻き取れなかった。
（ハ）フォークは片手で回しづらかった。
（ニ）箸を用いて、箸の先端に麺を巻き付ける場合、先端に巻き付けられた麺類のかたまりのサイズは幼児の口に適しているが、巻き付かせる作業が面倒であった。
（ホ）箸の先端に麺を巻き付ける場合、親は箸を持たない方の手で麺類をつまんで箸の先端に巻き付けなければならないため、その手が汚れてしまう。
本発明は以上の問題点を解決したものである。
【課題を解決するための手段】
【０００４】幼児の口の大きさに適した分量の麺類を巻き付け可能な独自形状の手動回転式の先端部、および、巻き取った麺類を抑えるためのガイドを設ける。以上の構成からなる幼児向け麺類用食具である。
【発明の効果】
【０００５】  独自形状の先端部によって、親は麺類を幼児の一口サイズぶんだけ巻き取れ、幼児に食べさせられるようになった。先端部が回転式のため、親は片手による簡単操作で麺類を巻き取れ、幼児に食べさせられるようになった。巻き取った麺類を抑えるためのガイドが設けてあるため、腰が固めなど麺類の状態にかかわらず、麺の終端部分をしっかり抑えられ、容易に巻き付けられるようになった。
【発明を実施するための最良の形態】
【０００６】以下、本発明の実施の形態について説明する。
（イ）独自形状の先端部（１）は、高さは麺１本の太さ分、長さは２ｃｍ程度の薄い板２枚を、麺１本の太さ分の間隔で円盤上に設置したもの。
（ロ）独自形状の先端部を回転軸（２）の片端とりつけ、筒状の本体（３）に通す。回転軸の残りの片端には、回転用のダイヤル（４）を取り付ける。
（ハ）巻き取った麺類を抑えるためのガイド（５）は、独自形状の先端部（１）の回転軌道に対して、麺１本の太さ分の距離を空けて本体に装着する。
本発明は以上の構成からなる幼児向け麺類用食具である。以下、使用方法について説明する。
本体（３）を片手で握り、ダイヤル（４）に親指をかける。独自形状の先端部（１）に設置された２枚の薄い板の間に麺類を１本挟む。ダイヤル（４）を親指で回すと、独自形状の先端部（１）に麺類１本分が巻き付く。巻き付け終わったら、独自形状の先端部（１）を幼児の口に運んで食べさせる。
独自形状の先端部（１）に麺類を巻き付ける際、ガイド（５）が一度巻き取った麺類を抑えているため、麺類の終端までしっかりと巻き付けられる。また、独自形状の先端部（１）の形によって、麺類を巻き付けた際のサイズが最小限に抑えられ、幼児の一口サイズだけ麺類を取って食べさせられる。
【図面の簡単な説明】
【０００７】
【図１】本発明の斜視図
【図２】本発明の原理説明図
【図３】本発明の使用説明図
【符号の説明】
【０００８】  １は先端部
２は回転軸
３は本体
４はダイヤル
５はガイド
【図１】
2007181637.tif 000003
【図２】
2007181637.tif 000004
【図３】
2007181637.tif 000005
(57)【要約】      （修正有）【課題】どのような入れ物にも対応できまた内容物の残量にも関係なく１つのスプーンで対応できるようにする。【解決手段】スプーンに伸縮機能を持たせ、どのような長さにも調整可能とした。【選択図】図１
2007181620.tif 000002
【特許請求の範囲】
【請求項１】
スプーンに伸縮機能を持たせ、どんな長さにも調整できかつ色々な入れ物の深さに対応するスプーン。
【発明の詳細な説明】
【技術分野】
【０００１】
本発明は、スプーンの長さを自由に調整できる事に関するものである。
【背景技術】
【０００２】
一般的にコーヒーや調味料の入れ物にスプーンを入れっぱなしにします。いちいちスプーンを探したり、出したりしなくてすむからです。
コーヒーやクリーム・調味料の残量が少なくなるとスプーンが短くすくい難い。入れ物にいっぱいの時と少しの時、スプーンの  長さが固定されていました。
【０００３】
しかし、この改善策としてスプーンが伸びたり縮んだりする事で、どんな入れ物にも対応できまた内容物の残量にも関係なく１つのスプーンで、全てに対応可能にしました。
【特許文献１】特許公開２００３−５７５９３号公報
【発明の開示】
【発明が解決しようとする課題】
【０００４】
解決しようとする問題点は、スプーンの長さは一定であるという固定観念である。
【０００５】
また、入れ物のサイズに合ったスプーンを一種類選択しなければならなかった。
【課題を解決するための手段】
【０００６】
本発明は、どんなサイズの入れ物でも、どんな種類の内容物でも全てに対応出来るよう長さを自由に可変出来ることにある。
【発明の効果】
【０００７】
本発明の伸縮スプーンは、自由に長さを調整できる事から何種類ものスプーンを用意いなくて済む事にある。
【発明を実施するための最良の形態】
【０００８】
スプーンの長さが自由に変わる事と、勝手に変化してしまう事とは根本的に違う、本スプーンは使用者の意思で可変出来る物で、使用者の意思と無関係に変化する物ではない。
【実施例１】
【０００９】
図１は、本発明装置の１実施例の断面図である。
【産業上の利用可能性】
【００１０】
前にも述べた通り、本案は伸縮自在でどんな容器にも、どんな内容物にも対応できる事から、単に食器として使用する他、、手の不自由な人への適用も可能である。
【図面の簡単な説明】
【００１１】
【図１】伸縮スプーンの断面図（実施例１）
【図２】従来型の標準スプーン
【符号の説明】
【００１２】
１    伸縮スプーン
２    伸縮方向
３    従来型スプーン
【図１】
2007181620.tif 000003
【図２】
2007181620.tif 000004
(57)【要約】      （修正有）【課題】従来空手競技において顔面に突き技を入れる場合、手にはグローブそして顔にはヘッドギャーを着けて行う事が常であった。その為技の制限や見切りが甘くなる等の弊害が発生しており、競技者が納得できる稽古や試合が出来ていなかった。本発明は手と顔に防具を着けない事を目的に安全にこの問題の解決をはかろうとしたものである。【解決手段】眼と鼻腔部を別に顔面全体を覆うように成型した硬質プラスチックで出来たマスク１の前面にウレタン系低反発衝撃吸収材２を貼り合わせた、また頭部を回すように付けたマジックテープ４等の保持具の他に口腔部内面に付けた歯型状突起を噛めば突き技の衝撃からくるズレを防ぐ事ができる。更にこの突起に硬質ウレタン材を被せれば３マウスピース兼用となり口腔部内面を裂傷から守る事が出来る。【選択図】図２
2007181647.tif 000002
【特許請求の範囲】
【請求項１】
ポリカーボネード等の強化プラスチックで顔面全体を覆うように形成された顔面マスクの外側前面と内側内面にウレタン系等の低反発衝撃吸収材を貼り合わせた空手競技用顔面マスク。
【請求項２】
請求項１の内側内面の口腔部を歯型状に突起させ、そこに硬質ウレタン又はゴム等の軟質材を被せた空手競技用顔面マスク。
【発明の詳細な説明】
【技術分野】
【０００１】この発明は、空手競技用防具に関するものである。
【背景技術】
【０００２】従来、空手競技において顔面に突き技を入れて攻撃する場合、頭と手に防具を着けて行っており、これには以下のような問題があった。
（イ）手に防具を着ける事で、鍛えた素手正拳を直接当てる事が出来なかった。
（ロ）手に防具を着けず顔面に突き技を当てようとする時、顔面の防具が硬質材で出来ており素手正拳を傷める恐れがあった。
（ハ）手に防具を着ける事で、カケや掴み等の技が出来なかった。
（ニ）顔と手に着ける防具によりヒット率が高くなり、見切りの稽古が出来なかった。
【発明が解決しようとする課題】
【０００３】本発明は手に防具を着けない事を目的に、このような問題を安全に解決しようとして、初めて素手正拳を当てる為の顔面マスクを作り上げたものであり、これにより空手競技での技術向上を図ったものである。
【課題を解決するための手段】
【０００４】目、鼻、口の部分を除き顔面全体を覆うように硬質プラスチック材等で成型したのマスク前面と一部内面に、ウレタン等の低反発衝撃吸収材を貼り合わせた。また噛んで保持出来るように口腔部に歯型状に突起を付けた。更にこの突起に硬質ウレタン及びゴム等からできた専用のマウスピースを被せるようにした。またマスク上部は球面に、同じく下部は鼻腔部を頂点にやや鋭角に成型した。
【発明の効果】
【０００５】これにより手に防具を付けず鍛えた素手正拳をケガが無く顔面に当てることが出来、尚且つ顔面への損傷を防ぐ事が出来る。また内面口腔部突起を噛む事で突き技の衝撃から来るズレを防ぎ、更に顎へのダメージと口腔内の裂傷も防ぐ効果がある。また球面形状を取り入れる事にって突き技が当たっても簡単に流れるようになった。
【実施例】
【０００６】以下、本案の実施例について説明する。
（イ）競技者は本発明の口腔部（３）専用マウスピースを噛むように顔面に密着させ、後部付属の（４）マジックテープで留めて装着する。
（ロ）対戦者の突きがマスクに当たれば、衝撃は（１）成型された面全体で受け止め拡散し、表面の（２）低反発衝撃吸収材が素手正拳をケガから守る。
（ハ）また、（３）専用マウスピースを噛んで保持している事でその衝撃からマスク自身のズレを防ぐ事ができ、口腔内裂傷を防ぐ。
【発明の効果】
【０００７】これにより手に防具を着ける必要が無くなり、安全に鍛えた素手正拳を顔面に当てることが出来る他、掴む、カケる等の特長を生かす事ができた。その結果空手競技において技の応酬に大きく幅を持たせる事ができ、また一番の懸案であった競技者の防御の技術と当てる事の難しさを学習する事もできた。
【図面の簡単な説明】
【０００８】
【図１】本発明の外観斜視図である。
【図２】図１の横断面図である。
【符号の説明】
【０００９】１  成型マスク本体    ２  低反発衝撃吸収材    ３  専用マウスピース
４  マジックテープ
【図１】
2007181647.tif 000003
【図２】
2007181647.tif 000004
(57)【要約】【課題】パチンコはギャンブル的な為、勝ってやめる事、負けていても被害額を最小限にとどめる、など、客は一番出玉が多い時期にやめることを、目標としている。対して店側は、出玉の多い客が、次々に遊戯を終えたのでは、出ていない客のみになってしまい、殺風景になり他の遊戯客に悪影響を及ぼす【解決手段】（時間限定放出）に達する為の出玉数設定機能が、パチンコ遊戯機に付いた事により出玉目標ができ、長い時間遊戯を行う客が増える【選択図】図１
2007181643.tif 000002
【特許請求の範囲】
【請求項１】
パチンコ遊戯における、時間限定出玉確定放出機能付きパチンコ遊戯機
【発明の詳細な説明】
【技術分野】
【０００１】本発明はパチンコの出玉が店が取り決めた数量に達すると、時間限定確定放出機能の期間になり、期間内（一定の時間内）は出玉の増加が確定された機能が追加された、遊戯機である
【背景技術】
【０００２】従来は遊戯者がどの位、出たら遊戯をやめようという目標が定かではなかったが、この機能が追加された遊戯機だと、出玉目標ができる
【発明の開示】
【発明が解決しようとする課題】
【０００３】遊戯のやめ時を決める方法のひとつに、昨日の出玉回数、２日前、３日前の出玉回数などのデーターを参考にして、早期に遊戯をやめる人が多く、遊戯店の、出玉の宣伝効果が、薄らぐ
【課題を解決するための手段】
【０００４】パチンコの出玉数が取り決めた数量に達すると（時間限定確定放出期間）に入る為、権利を得ようと、長時間遊戯をする
【発明の効果】
【０００５】遊戯場の出玉率の宣伝効果と、にぎわい効果
【発明を実施するための最良の形態】
【０００６】遊戯客が、遊戯店が決めた（時間限定確定放出）設定数量を目標に遊戯を楽しむ
【実施例】
【０００７】（時間限定確定放出）期間になると、デジタルが一定回数回ると必ず出玉状態になり、打ち込み数以上の出玉が約束される
【産業上の利用可能性】
【０００８】遊戯機で遊戯の開始‥‥パチンコ店の（時間限定確定放出）設定数量に達成‥…確定放出設定時間内の遊戯‥…終了‥…新たに遊戯
【図面の簡単な説明】
【０００９】
【図１】遊戯の出玉状態を表した図
【図１】
2007181643.tif 000003
(57)【要約】【課題】パチンコ遊戯の出玉（貯玉）による、玉の景品交換及び玉の移動などで従業員の過酷な重労働パチンコ遊戯の出玉（貯玉）による通路の占拠パチンコ遊戯玉の洗浄及び各、遊戯台への回収、供給設備の小型化遊戯玉を大量に用意する必要がある【解決手段】出玉（貯玉）を数字やモニュメントで表示する事により、パチンコ店の賑わいは従来に等しく、出玉の景品交換は容易になり、通路の通行もスムーズとなる【選択図】図１
2007181645.tif 000002
【特許請求の範囲】
【請求項１】
パチンコ遊戯における、出玉（貯玉）をパチンコ玉以外の方法で展示する装置
【発明の詳細な説明】
【技術分野】
【０００１】本発明はパチンコ遊戯の出玉の量を、玉以外の、数字、モニュメントなどで表示する装置です
【背景技術】
【０００２】従来は、パチンコ遊戯の出玉を通路に箱入りで並べて貯玉し、パチンコ玉以外で貯玉する事はなかった
【発明の開示】
【発明が解決しようとする課題】
【０００３】大量の出玉（貯玉）を通路に並べる為、通行に支障（非常時の非難に支障）パチンコ玉の景品交換が従業員には、重労働
【課題を解決するための手段】
【０００４】パチンコの出玉（貯玉）数を数字表示とモニュメント表示に変えた
【発明の効果】
【０００５】パチンコ遊戯場の通行がスムーズになり、従業員の作業の軽減化と人数の削減
【発明を実施するための最良の形態】
【０００６】パチンコ遊戯台の上部などに出玉（貯玉）を数字による表示及び出玉に見合ったモニュメントなどで表示した
【実施例】
【０００７】パチンコ遊戯の出玉（貯玉）を数字で表示及びモニュメントで表示
【産業上の利用可能性】
【０００８】通路に玉がなくなる為、通行がスムーズになり  非難通路が確保できる【０００９】従業員の作業の軽減化及び人数の削減【００１０】店に大量のパチンコ玉を用意する必要が無くなり、玉洗い機の小型化
【図面の簡単な説明】
【０００９】
【図１】遊戯の出玉状態を表した図
【図１】
2007181645.tif 000003
(57)【要約】【課題】パチンコ遊戯中において、喫煙客のタバコの煙を隣の遊戯客の方に流れないようにする方法【解決手段】パチンコの遊戯台の上部にエアーシャワーの噴出し口を設け、新鮮なエアーを噴出す事で、隣の客のタバコの煙が流れてきても、吹き飛ぶ【選択図】図１
2007181644.tif 000002
【特許請求の範囲】
【請求項１】
エアーシャワーの噴出し口を設けた、パチンコの遊戯台
【発明の詳細な説明】
【技術分野】
【０００１】本発明はパチンコ遊戯中に、隣の客のタバコの煙が隣の台の方向に流れてくるのを防止する為に、遊戯台にエアーシャワーを設けたものである
【背景技術】
【０００２】従来はパチンコ遊戯において隣の客が喫煙すると、煙が隣の客のほうにも流れてきて、息苦しいが仕方なかった
【発明の開示】
【発明が解決しようとする課題】
【０００３】遊戯客のタバコの煙が隣の遊戯客の方に流れるのを防止する目的である
【課題を解決するための手段】
【０００４】パチンコ遊戯台の上部にエアーシャワーの噴出し口を設置した
【発明の効果】
【０００５】隣の客のタバコの煙が隣に流れてくるのが防げた
【発明を実施するための最良の形態】
【０００６】パチンコ遊戯台の上部に新鮮なエアーの噴出し口を設置した【０００７】新鮮なエアーで空調にも兼用した
【実施例】
【０００８】エアーシャワーで、隣の客のタバコの煙が流れてくるのが防止できた
【産業上の利用可能性】
【００１０】パチンコ店内全体の、排煙設備は整っていても、遊戯台には、タバコの煙の害を防ぐ対策はなされていないので、必要である
【図面の簡単な説明】
【００１０】
【図１】エアーシャワーを設置した状態を示した図
【図１】
2007181644.tif 000003